(57)【要約】      （修正有）【課題】熱源機の吹出口から吹き出される冷風もしくは温風を隔壁で仕切られた複数の部屋に対して分配供給することができる経済的な空気調和システムを提供する。【解決手段】空気調和システム１００は、冷風もしくは温風を発生させる熱源機１０と、熱源機１０の吹出口に臨んで、空調対象の部屋数に応じて複数配設された吸気口２０と、空調対象の各部屋４にそれぞれ配設された吹出口４０と、各吸気口２０に一端が接続され、他端が各吹出口４０に至るように延設された複数の供給系３０と、を備える。吸気口２０には吸気ファンが設けられると共に、吹出口４０には吹出ファンが設けられる。【選択図】図１
0003188751.tif 000002
【実用新案登録請求の範囲】
【請求項１】
冷風もしくは温風を発生させる熱源機と、
前記熱源機の吹出口に臨んで、空調対象の部屋数に応じて複数配設された吸気口と、
前記空調対象の各部屋にそれぞれ配設された吹出口と、
各吸気口に一端が接続され、他端が各吹出口に至るようにそれぞれ延設された複数の供給系と、
を備え、
前記吸気口に吸気ファンが設けられると共に、前記吹出口に吹出ファンが設けられていることを特徴とする空気調和システム。
【請求項２】
前記熱源機は、空気調和機の室内機であることを特徴とする請求項１に記載の空気調和システム。
【請求項３】
前記吹出口には、該吹出口の開口度合いを調節するための開度調節手段が設けられていることを特徴とする請求項１または請求項２に記載の空気調和システム。
【請求項４】
前記供給系の途中に、前記吸気ファンおよび前記吹出ファンと同方向の空気流れを形成するための中間ファンが介設されていることを特徴とする請求項１から３のいずれか１項に記載の空気調和システム。
【請求項５】
前記空調対象の各部屋には、前記ファンをオン／オフ操作するための操作部が配されていることを特徴とする請求項１から４のいずれか１項に記載の空気調和システム。
【考案の詳細な説明】
【技術分野】
【０００１】
本考案は、熱源機の吹出口から吹き出される冷風もしくは温風を複数の部屋に分配供給して各部屋を空調するための空気調和システムに関する。
【背景技術】
【０００２】
近年、レンタルオフィスやルームシェアリング型住居等の共同利用型空間の需要が高まっている。共同利用型空間では、部屋数を増加させるために、広い部屋を仕切って使用することがある。しかし、部屋数が増加すると、部屋の増加数に応じて空気調和機も増設する必要があり、自ずと空調設備費が増大することになる。
【０００３】
そこで、熱源機の吹出口から吹き出される冷風もしくは温風を複数の部屋に分配供給することができれば、空調設備費を低減することができる。
【０００４】
これに関連する技術としては、例えば、共同利用室・共同利用住居内に設けられた通路の壁面又は通路の天井面に空調空気吐出し口を少なくとも１個開口させ、この空調空気吐出し口に対向するか又はその近傍にある通路の壁面には、複数の空調空気取込み口が開口し、この複数の空調空気取込み口には、空調空気吸引ファンを途中に設けたダクトの一端を夫々接続し、各ダクトの他端は各個室内の壁面又は天井面に開口する空調空気吹出し口に接続してなるシェアハウスの空調装置が提案されている（特許文献１参照）。
【０００５】
また、少なくとも熱交換器及び送風機を有する熱源機と、この熱源機の吹出接続口に交換可能に取付けた可変風量式ユニットを備え、可変風量式ユニットは、空調部屋数に応じた数の室に区画したハウジングと、このハウジングの各室内に配置された風量調節用ダンパと、この各ダンパを各別に操作するモータとから構成された空気調和機が提案されている（特許文献２参照）。
【０００６】
さらに、熱源機、この熱源機に接続された熱交換器及び送風機を内蔵した室内機、送風機に電気的に接続され風量を数段階に切り替える風量切替器、室内機の吹き出し側に接続されたプレナムに設けられた複数のダクト接続口、このダクト接続口に各々接続され複数ゾーンへ配設されたダクトを備え、ダクト接続口への風路面積を総面積は変えず各々の面積比率を変更自在可能なスライド式シャッターをプレナム内に設けたダクト式空気調和システムが提案されている（特許文献３参照）。
【０００７】
そして、ケーシング内に互いに独立して形成された第１分流路および第２分流路と、第１分流路に連通して形成された外気導入口と、第２分流路に連通して形成された内気導入口と、複数の分流路にそれぞれ個別に設けられた送風ファンと、分流路に配置された熱交換器と、第１分流路に連通して形成された外気送出口と、第２分流路に連通して形成された内気送出口と、を備えた空調機が提案されている（特許文献４参照）。
【先行技術文献】
【特許文献】
【０００８】
【特許文献１】実用新案登録第３１８４７５５号公報
【特許文献２】実開昭６２−１３２３１８号公報
【特許文献３】特開平１０−２６７３２０号公報
【特許文献４】特開２００５−１９５２８０号公報
【考案の概要】
【考案が解決しようとする課題】
【０００９】
ところで、特許文献１によれば、天井裏等に配設されたダクトの途中に空調空気吸引ファンが取り付けられている。したがって、空調空気吸引ファンが故障した場合には、天井の一部を開口して当該吸引ファンを交換しなければならないため、当該吸引ファンの交換作業が煩雑である。
【００１０】
また、特許文献２および特許文献３によれば、単一の送風機により、複数のダクトを介して各部屋に冷風もしくは温風を分配供給している。したがって、部屋数が多い場合には、部屋毎の供給風量に偏りが生じて、各部屋において均一な空調効果が得られない。
【００１１】
さらに、特許文献４によれば、病室内に配置された複数のベッドに対して調和空気が供給される。したがって、特許文献４の技術は、熱源機の吹出口から吹き出される冷風もしくは温風を隔壁で仕切られた複数の部屋に対して分配供給することを意図していない。
【００１２】
本考案は、上記の事情に鑑みて創案されたものであり、ファンが故障しても交換が容易であり、部屋数が多くとも各部屋で略均一な空調効果が得られ、熱源機の吹出口から吹き出される冷風もしくは温風を隔壁で仕切られた複数の部屋に対して分配供給することができる経済的な空気調和システムを提供することを目的とする。
【課題を解決するための手段】
【００１３】
上記目的を達成するための本考案に係る空気調和システムは、熱源機、複数の吸気口、複数の吹出口、および複数の供給系を備える。
【００１４】
上記熱源機は、冷風もしくは温風を発生させる。上記吸気口は、上記熱源機の吹出口に臨んで、空調対象の部屋数に応じて複数配設される。上記吹出口は、上記空調対象の各部屋にそれぞれ配設される。上記供給系は、各吸気口に一端が接続され、他端が各吹出口に至るようにそれぞれ延設される。上記吸気口には吸気ファンが設けられ、上記吹出口には吹出ファンが設けられている。
【００１５】
上記空気調和システムの構成において、上記熱源機は、空気調和機の室内機であることが好ましい。
【００１６】
また、上記吹出口には、該吹出口の開口度合いを調節するための開度調節手段が設けられていることが好ましい。
【００１７】
さらに、上記供給系の途中には、上記吸気ファンおよび上記吹出ファンと同方向の空気流れを形成するための中間ファンが介設されていてもよい。
【００１８】
そして、上記空調対象の各部屋には、上記ファンをオン／オフ操作するための操作部を配することが好ましい。
【考案の効果】
【００１９】
本考案に係る空気調和システムは、吸気口が熱源機の吹出口に臨んで、空調対象の部屋数に応じて複数配設され、吹出口が空調対象の各部屋にそれぞれ配設される。各供給系は、各吸気口に一端が接続され、他端が各吹出口に至るようにそれぞれ延設される。さらに、吸気口には吸気ファンが設けられ、吹出口には吹出ファンが設けられている。
【００２０】
したがって、本考案に係る空気調和システムによれば、熱源機の吹出口から吹き出される冷風もしくは温風を隔壁で仕切られた複数の部屋に対して分配供給することができる経済的な空気調和システムを構築することができる。
また、供給系の一端の吸気口に吸気ファンが設けられ、当該供給系の他端の吹出口に吹出ファンが設けられているので、ファンが故障しても交換が容易である。さらに、各供給系が吸気ファンおよび吹出ファンを有するので、部屋数が多くとも各部屋で略均一な空調効果が得られる。
【００２１】
熱源機として、空気調和機の室内機を用いることにより、共通の室内機で複数の部屋を空調することができ、経済的である。また、部屋数の増加の際に、既存の室内機を使用することができるので、空調設備の改築工事が容易である。
【００２２】
また、各吹出口に、当該吹出口の開口度合いを調節するための開度調節手段を設けることにより、各部屋において風量を個別に調節して、温度調整することができる。
【００２３】
さらに、供給系の途中に介設する中間ファンは、吸気ファンおよび吹出ファンと同方向の空気流れを形成する。したがって、熱源機から空調対象の部屋が遠く、供給系の延長距離が長くなる場合であっても、供給系の途中に当該中間ファンを介設すれば、供給系内における風力の低下を抑制することができる。
【００２４】
そして、空調対象の各部屋に、ファンをオン／オフ操作するための操作部を配している。したがって、空調を使用しない部屋では、操作部をオフ操作することにより、ファン動作を停止することができる。
【図面の簡単な説明】
【００２５】
【図１】第１の実施形態の空気調和システムを配設した居住空間の概略平面図である。
【図２】第１の実施形態において、熱源機に臨ませて吸気口を配設した状態の平面図である。
【図３】第１の実施形態において、吸気口に設けた吸気ファンの正面図である。
【図４】第１の実施形態において、吸気口から吹出口まで至る供給系の概略図である。
【図５】第１の実施形態において、空調対象の部屋に吹出口を配設した状態の斜視図である。
【図６】第１の実施形態において、吐出口に設けた吐出ファンおよび開度調節手段の概略図である。
【図７】第２の実施形態の空気調和システムを配設した居住空間の概略平面図である。
【図８】第２の実施形態において、熱源機に臨ませて吸気口を配設した状態の側面図である。
【図９】第２の実施形態において、吸気口の配置、および吸気口に設けた吸気ファンの平面図および側面図である。
【図１０】第２の実施形態において、空調対象の部屋に吹出口を配設した状態の斜視図である。
【図１１】第２の実施形態において、吐出口に設けた吐出ファンおよび開度調節手段の概略図である。
【考案を実施するための形態】
【００２６】
以下、図面を参照して、本考案に係る空気調和システムの第１および第２の実施形態を説明する。
〔第１の実施形態〕
［空気調和システムの構成］
【００２７】
まず、図１から図６を参照して、第１の実施形態の空気調和システム１００の構成について説明する。図１は第１の実施形態の空気調和システムを配設した居住空間の概略平面図である。図２は熱源機に臨ませて吸気口を配設した状態の平面図である。図３は吸気口に設けた吸気ファンの正面図である。図４は吸気口から吹出口まで至る供給系の概略図である。図５は空調対象の部屋に吹出口を配設した状態の斜視図である。図６は吐出口に設けた吐出ファンおよび開度調節手段の概略図である。
【００２８】
図１において、１は居住空間である。第１の実施形態では、居住空間１としてルームシェアリング型住居を例示している。なお、共同空間２および個別空間４以外の各間取り構成要素については説明を省略する。
【００２９】
図１に示すように、第１の実施形態の空気調和システム１００は、熱源機１０、吸気口２０、供給系３０、および吹出口４０を備える。
【００３０】
熱源機１０は、少なくとも不図示の熱交換器および送風ファンを備え、冷風もしくは温風を発生させる。図１および図２に示すように、本実施形態の熱源機１０には、例えば、分離型空気調和機の室内機を採用する。例示する室内機は壁掛け型であり、例えば、共用空間２の通路２ａの壁面３に配設されている。
【００３１】
吸気口２０は、熱源機１０の吹出口（図示せず）に臨んで、空調対象の部屋数に応じて複数配設される。図１に例示する居住空間１では、４室の個別空間４が配設されている。したがって、本実施形態では、部屋数４室に応じて４基の吸気口２０が横列配置されている。
【００３２】
吸気口２０は、熱源機１０の吹出口に臨んで、当該熱源機１０と間隔を空けて配設される。熱源機１０と吸気口２０の間に空間を設けるのは、熱源機１０の吹出口に密着させて吸気口２０を配設すると、熱源機１０に負荷が掛かり過ぎて当該熱源機１０の送風が停止してしまう虞があるので、かかる不具合を防止するためである。
【００３３】
また、室内機１０を共用空間２に配設し、熱源機１０と吸気口２０の間に空間を設けることにより、共通の熱源機１０で個別空間４のみならず、共用空間２をも空調することができる。したがって、熱源機１０を配設する場所は共用空間２が好ましいが、本実施形態の構成に限定されない。
【００３４】
図３（ａ）に示すように、吸気口２０には、吸気ファン２１が設けられている。吸気ファン２１としては、例えば、構造が簡単かつ安価な軸流ファンを採用するが、これに限定されず、他の形式のファンを用いても構わない。図３（ａ）においては、４つの吸気口２０が個別配置されているが、これらの吸気口２０を枠体で一体化しても構わない。なお、吸気口２０の枠形状は矩形に限定されず、例えば、円形等であっても構わない。
【００３５】
また、図３（ｂ）に示すように、吸気口２０において、吸気ファン２１の手前（熱源機１０側）には、安全対策として、格子フレーム２２が取り付けられている。本実施形態では、吸気ファン２１の手前に格子フレーム２２が取り付けているが、例えば、フィルタであっても構わない。フィルタを配置した場合には、吸気ファン２１の吸引力は若干低下するが、粉塵の侵入を防止することができる。
【００３６】
各吸気口２０には、熱源機１０が発生し、吸気ファン２１によって吸引された冷風もしくは温風を移送するための供給系３０が接続されている。図４に示すように、供給系３０は、各吸気口２０に一端が接続され、他端が空調対象の各部屋（個別空間）４にそれぞれ配設された各吹出口４０に至るように延設される。なお、図４は、供給系３０を模式的に表したものであり、実際の構造とは異なる。
【００３７】
供給系３０としては、例えば、蛇腹状のフレキシブルチューブや空調用ダクトを採用するが、これらの部材に限定されず、吸気ファン２１によって吸引された冷風もしくは温風を移送することができる部材であればよい。フレキシブルチューブを用いる場合には、曲部にエルボ等のフィッティングを設ける必要がないので、供給系３０を配設する際の取り回しが容易である。
【００３８】
吹出口４０は、図４および図５に示すように、空調対象の各部屋（個別空間）４の壁面５にそれぞれ開口される。各供給系３０は、各吸気口２０に一端が接続され、他端が各吹出口４０に至るように配設される。
【００３９】
図５および図６に示すように、吹出口４０には、吹出ファン４１が設けられている。吹出ファン４１としては、吸気ファン２１と同様に、例えば、構造が簡単かつ安価な軸流ファンを採用するが、これに限定されず、他の形式のファンを用いても構わない。なお、吹出口４０の枠形状は矩形に限定されず、例えば、円形等であっても構わない。
【００４０】
また、図６に示すように、吹出口４０において、吹出ファン４１の外側（個別空間４側）には、当該吹出口４０の開口度合いを調節するための開度調節手段５０が設けられている。本実施形態の開度調節手段５０は、例えば、軸回りに開度を調節する手段を採用する。具体的には、開度調節手段５０は、吹出口４０を十字扇状の部材５１で覆って、４箇所の開口部５２を形成し、扇状の開閉扉５３を軸回りにスライドさせて、当該開口部５２の開口度合い調節するようになっている。図６において、（ａ）、（ｂ）、（ｃ）と順に開度が狭まっている。
【００４１】
開度調節手段５０は軸回りに開度を調節する手段に限定されず、例えば、横方向もしくは縦方向に並んだ複数の板状フィンの傾度を調節して吹出口４０を開閉する手段等の他の形式の開度調節手段であっても構わない。
【００４２】
また、空調対象となる部屋（個別空間）４の壁面５には、吸気ファン２１および吹出ファン４１をオン／オフ操作するためのリモコン等の操作部６０が着脱自在に取り付けられている。なお、供給系３０に後述する中間ファンが介設されている場合には、吸気ファン２１および吹出ファン４１と同一の操作部６０でオン／オフ操作することができる。
【００４３】
本実施形態の空気調和システム１００では、共通の熱源機１０を用いて、空調対象となる複数の部屋（個別空間）４を空調するので、居住空間１の間取り構成上、空調対象となる部屋（個別空間）４までの距離が遠い場合がある。この場合には、吸気口２０から吹出口４０へと至る供給系３０の全長が長くなるので、当該供給系３０の途中に、不図示の中間ファンを介設してもよい。当該中間ファンは、当然のことながら、吸気ファン２１および吹出ファン４１と同方向の空気流れを形成するように配設する。
【００４４】
また、居住空間１の間取り構成上、どうしても供給系３０に分岐部を設けざるをえない場合には、当該分岐部の手前（吸気ファン２１側）に中間ファンを介設するように構成してもよい。
［空気調和システムの作用］
【００４５】
次に、図１から図６を参照して、第１の実施形態の空気調和システム１００の作用について説明する。
【００４６】
図１に示したように、本実施形態の空気調和システム１００は、吸気口２０が熱源機１０の吹出口に臨んでおり、当該熱源機１０との間に空間を隔てて配設されている。吸気口２０は、空調対象の部屋数に応じて複数配設されている。一方、吹出口４０は、空調対象の各部屋（個別空間）４の壁面５にそれぞれ配設されている。
【００４７】
吸気口２０には吸気ファン２１が設けられると共に、吹出口４０には吹出ファン４１が設けられている。各供給系３０は、各吸気口２０に一端が接続され、他端が各吹出口４０に至るように延設されている。
【００４８】
したがって、本実施形態の空気調和システム１００によれば、吸気ファン２１を有する吸気口２０、供給系３０、および吹出ファン４１を有する吹出口４０を順に介して、熱源機１０の吹出口から吹き出される冷風もしくは温風を複数の部屋（個別空間）４に対して分配供給することができる。
【００４９】
上述したように、室内機１０を共用空間２に配設し、熱源機１０と吸気口２０の間に空間を設けることにより、共通の熱源機１０で個別空間４のみならず、共用空間２をも空調することができる。
【００５０】
また、供給系３０の一端の吸気口２０に吸気ファン２１が設けられ、他端の吹出口４０に吹出ファン４１が設けられている。したがって、ファンが故障しても、天井等を開口する必要がなく、当該ファンの交換が容易である。さらに、各供給系３０が吸気ファン２１および吹出ファン４１を有するので、部屋数が多くとも各部屋（個別空間）４において略均一な空調効果が得られる。
【００５１】
さらに、熱源機１０として、空気調和機の室内機を用いることにより、共通の室内機で複数の部屋を空調することができ、経済的である。また、部屋数の増加の際に、既存の室内機を使用することができるので、空調設備の改築工事を容易に施工することができる。
【００５２】
そして、各吹出口４０に、当該吹出口４０の開口度合いを調節する開度調節手段５０を設けることにより、各部屋（個別空間）４において風量を個別に調節して、室内温度を調整することができる。
【００５３】
空調を使用しない部屋（個別空間）４では、操作部６０をオフ操作することにより、吸気ファン２１および吹出ファン４１が共に停止するので、当該部屋（個別空間）４内に冷風もしくは温風が流入することはない。なお、全室の空調を停止するには、吸気ファン２１および吹出ファン４１の他、熱源機（室内機）１０の操作部をオフ操作することになる。
【００５４】
また、居住空間１の間取り構成上、空調対象となる部屋（個別空間）４までの距離が遠い場合には、当該供給系３０の途中に中間ファンを介設してもよい。当該中間ファンは、吸気ファン２１および吹出ファン４１と同方向の空気流れを形成する。
【００５５】
したがって、熱源機１０から空調対象の部屋（個別空間）４が遠く、供給系３０の延長距離が長くなる場合であっても、供給系３０の途中に当該中間ファンを介設すれば、供給系３０内における風力の低下を抑制することができる。供給系３０に中間ファンが介設されている場合には、上記操作部６０をオフ操作することにより、吸気ファン２１および吹出ファン４１と共に当該中間ファンが停止する。
【００５６】
以上説明したように、第１の実施形態によれば、吸気ファン２１や吹出ファン４１が故障しても交換が容易であり、部屋数が多くとも各部屋（個別空間）４で略均一な空調効果が得られ、熱源機１０の吹出口から吹き出される冷風もしくは温風を隔壁で仕切られた複数の部屋（個別空間）４に対して分配供給することができる経済的な空気調和システム１００を構築することができるものである。
〔第２の実施形態〕
【００５７】
次に、図７から図１１を参照して、第２の実施形態の空気調和システム２００の構成について説明する。図７は第２の実施形態の空気調和システムを配設した居住空間の概略平面図である。図８は熱源機に臨ませて吸気口を配設した状態の側面図である。図９は吸気口の配置、および吸気口に設けた吸気ファンの平面図および側面図である。図１０は空調対象の部屋に吹出口を配設した状態の斜視図である。図１１は吐出口に設けた吐出ファンおよび開度調節手段の概略図である。なお、第１の実施形態と同一の要素については、同一の符号を付して説明する。
【００５８】
図７に示すように、第２の実施形態では、居住空間１としてレンタルオフィスを例示している。なお、共同空間２および個別空間４以外の各間取り構成要素については説明を省略する。なお、各個別空間４には、机６および椅子７が配置されている。
【００５９】
図７および図８に示すように、第２の実施形態の空気調和システム２００は、第１の実施形態と同様に、当該空気調和システム２００の構成要素として、熱源機１０、吸気口２０、供給系３０、および吹出口４０を備える。第２の実施形態の空気調和システム２００は、熱源機１０の構成と、吸気口２０、供給系３０および吹出口４０の配置が第１の実施形態と異なる。
【００６０】
図８および図９に示すように、第２の実施形態の熱源機１０には、分離型空気調和機のビルトイン型室内機を採用する。ビルトイン型室内機は、少なくとも不図示の熱交換器および送風ファンを備え、冷風もしくは温風を発生させる。ビルトイン型室内機は、例えば、共用空間２の通路２ａの天井部８に組み込まれている。
【００６１】
例示するビルトイン型室内機は、四方向に不図示の下向き吹出口を有する型式のものであるが、これに限定されず、例えば、２方向の吹出口や単一の吹出口を有するものなど、他の型式のものであっても構わない。
【００６２】
吸気口２０は、熱源機（ビルトイン型室内機）１０の吹出口に臨んで上向きに、空調対象の部屋数に応じて複数配設される。図７に例示する居住空間１では、８室の個別空間４が配設されている。したがって、本実施形態では、部屋数８室に応じて８基の吸気口２０が２基ずつ四方向に配置されている。
【００６３】
吸気口２０は、熱源機（ビルトイン型室内機）１０の吹出口に臨んで、当該熱源機１０の下部に間隔を空けて配設される。熱源機１０と吸気口２０の間に空間を設けるのは、第１の実施形態において説明したように、熱源機１０の吹出口に密着させて吸気口２０を配設すると、熱源機１０に負荷が掛かり過ぎて当該熱源機１０の送風が停止する虞があるからである。
【００６４】
図８を参照して、本実施形態では、既設の天井部８の下部に第２の天井部９を形成し、二重天井構造が構築工される。吸気口２０および供給系３０は第２の天井部９上に配設され、吹出口４０は第２の天井部９に開口される（図１０参照）。各吸気口２０は熱源機（ビルトイン型室内機）１０から吊り金具７０で吊下されているが、これに限定されず、例えば、当該吸気口２０は第２の天井部９上に固定してもよい。
【００６５】
第１の実施形態と同様に、吸気口２０には、吸気ファン２１が設けられている。吸気ファン２１としては、例えば、構造が簡単かつ安価な軸流ファンを採用するが、これに限定されず、他の形式のファンを用いても構わない。図９（ａ）においては、８基の吸気口２０が個別配置されているが、図９（ｂ）のように、枠体７１で２基ずつの吸気口２０を一体化しても構わない。なお、吸気口２０の枠形状は矩形に限定されず、例えば、円形等であっても構わない。
【００６６】
各吸気口２０には、熱源機１０が発生し、吸気ファン２１によって吸引された冷風もしくは温風を移送するための供給系３０がそれぞれ接続されている（図４参照）。各供給系３０は、各吸気口２０に一端が接続され、他端が空調対象の各部屋（個別空間）４にそれぞれ配設された各吹出口４０に至るように延設される。供給系３０としては、第１の実施形態と同様のものを採用する。
【００６７】
吹出口４０は、図１０に示すように、空調対象の各部屋（個別空間）４の天井部（第２の天井部）９にそれぞれ開口される。
【００６８】
図１０および図１１に示すように、吹出口４０には、吹出ファン４１が設けられている。吹出ファン４１としては、第１の実施形態と同様に、例えば、構造が簡単かつ安価な軸流ファンを採用するが、これに限定されず、他の形式のファンを用いても構わない。なお、吹出口４０の枠形状は矩形に限定されず、例えば、円形等であっても構わない。
【００６９】
また、吹出口４０において、吹出ファン４１の外側（個別空間４側）には、当該吹出口４０の開口度合いを調節するための開度調節手段５０が設けられている。本実施形態の開度調節手段５０は、例えば、横方向もしくは縦方向に並んだ複数の板状フィン５４の傾度を調節して吹出口４０を開閉する手段を採用する。図１１において、（ａ）、（ｂ）、（ｃ）と順に開度が狭まっている。
【００７０】
開度調節手段５０は複数の板状フィン５４の傾度を調節して吹出口４０を開閉する手段に限定されず、例えば、第１の実施形態のように軸回りに開度を調節する手段等の他の形式の開度調節手段であっても構わない。
【００７１】
再び図１０を参照して、空調対象となる部屋（個別空間）４の壁面５には、第１の実施形態と同様に、吸気ファン２１および吹出ファン４１をオン／オフ操作するための操作部６０が着脱自在に取り付けられている。
【００７２】
また、居住空間１の間取り構成上、空調対象となる部屋（個別空間）４までの距離が遠い場合には、第１の実施形態と同様に、供給系３０の途中に、不図示の中間ファンを介設してもよい。さらに、居住空間１の間取り構成上、どうしても供給系３０に分岐部を設けざるをえない場合には、当該分岐部の手前（吸気ファン２１側）に中間ファンを介設するように構成してもよい。なお、供給系３０の途中に中間ファンが介設されている場合には、上記操作部６０でオン／オフ操作することができる。
【００７３】
第２の実施形態の空気調和システム２００は、二重天井構造を形成するためにファンの交換の利便性が劣る以外、基本的に第１の実施形態の空気調和システム１００と同様の作用効果を奏する。特に第２の実施形態の空気調和システム２００にあっては、熱源機１０として分離型空気調和機のビルトイン型室内機を採用するので、レンタルオフィスの空調設備の構築に適しているという有利な効果を発揮する。
【００７４】
以上、本考案の好適な実施形態を説明したが、上記実施形態は本考案の説明のための例示であり、本考案の範囲を上記実施形態にのみ限定する趣旨ではない。本考案は、その要旨を逸脱しない範囲で、上記実施形態とは異なる種々の態様で実施することができる。
【符号の説明】
【００７５】
１０    熱源機、
２０    吸気口、
２１    吸気ファン、
３０    供給系、
４０    吹出口、
４１    吹出ファン、
５０    開度調節手段
６０    操作部。
【図１】
0003188751.tif 000003
【図２】
0003188751.tif 000004
【図３】
0003188751.tif 000005
【図４】
0003188751.tif 000006
【図５】
0003188751.tif 000007
【図６】
0003188751.tif 000008
【図７】
0003188751.tif 000009
【図８】
0003188751.tif 000010
【図９】
0003188751.tif 000011
【図１０】
0003188751.tif 000012
【図１１】
0003188751.tif 000013